(57)【要約】【目的】  本発明は、視覚障害者等が施設等で受けるリハビリテーションの一貫として手首から腕にかけての運動になると共に、楽しく視覚障害者等のストレスを解消できる遊戯具に関する発明である。【構成】  本発明は、照準装置から照射されたレーザー光線の照射先の点数等を示す位置情報等を無線送信できる送受信機と、前記位置情報を音声に変換等を行う制御部を備えたダーツボードと、 前記ダーツボードの送受信機から送受信機に位置情報等を送信でき、競技者が頭に装着するヘッドホン、前記ダーツボードにレーザー光線を照射できる照準装置と、競技者がダーツボード投げて前記ダーツボードの表面に刺さるダーツとからなることを特徴とする視覚障害者用遊戯具の構成とした。【選択図】  図１
2005152424.tif 000002
【特許請求の範囲】
【請求項１】
照準装置から照射されたレーザー光線の照射先の点数等を示す位置情報等を無線送信できる送受信機と、前記位置情報を音声に変換等を行う制御部を備えたダーツボードと、 前記ダーツボードの送受信機から送受信機に位置情報等を送信でき、競技者が頭に装着するヘッドホン、前記ダーツボードにレーザー光線を照射できる照準装置と、競技者がダーツボード投げて前記ダーツボードの表面に刺さるダーツとからなることを特徴とする視覚障害者用遊戯具。
【請求項２】
ハウジングと、ハウジングの上端部、下端部で接続し、リング状になるリストバンドとからなり、ハウジングの表面には、ダーツボードの方向にレーザー光線の照射位置を変更できる可動式のレーザー照射部と、点数等を確認のために表示する表示部と、表示部の右下に設けたスタート・リセットボタンとからなる照準装置を備えたことを特徴とする請求項１項に記載の視覚障害者用遊戯具。
【発明の詳細な説明】
【技術分野】
【０００１】
本発明は、視覚障害者等が施設等で受けるリハビリテーションの一貫として手首から腕にかけての運動になると共に、楽しく視覚障害者等のストレスを解消できる遊戯具に関する発明である。
【背景技術】
【０００２】
従来、視覚障害者用の遊戯具には、点字による電子ゲームや、以下に説明する先行文献に記載したカラオケ装置や、ボーリングと同じ原理で玉を転がし、レーンの一端に配置したピンを倒すスポーツ具があった。
【０００３】
「カラオケ装置」は、選曲された伴奏音楽を出力する伴奏音楽出力手段４を備えると共に、前記伴奏音楽に則した歌詞情報を出力する歌詞情報出力手段５を備えたカラオケ装置において、前記歌詞情報出力手段５に、前記伴奏音楽の出力タイミングに先行してその曲の歌詞を音声主力する歌詞音声出力部を備えたことを特徴とするカラオケ装置であった。
【０００４】
また、視覚障害者向けの「スポーツ具」として、表面に指入れ孔を開口形成したボールと、ボールを転動させる範囲が規定されたレーンの一端に配置される複数のピンと、ピンをレーンの反対側から包囲するネットと、ボールの投球を補助するための投球補助手段とを備え、上記ボールとピンの内部には音声発生手段を内装するとともに、上記ピンのうち１本のピンは立っている時に音声を発し、他のピンは倒れた時に音声を発するものであることを特徴とするスポーツ具である。
【特許文献１】特開２００２−２４４６７３号公報
【特許文献２】特開平８−２６６７０６号公報
【０００５】
しかしながら、従来の視覚障害者用の遊技具として、「カラオケ装置」を使用する場合、伴奏音楽の出力タイミングに先行してその曲の歌詞を音声出力する歌詞音声出力部を備えているが、カラオケ装置を使用してリズムを取らない限り、体のリハビリにならず、且つ、歌を歌うことが上手になるためにある程度の期間練習しなければならないため、老若男女問わず万人が楽しめない。
【０００６】
また前記「スポーツ具」の場合、ボーリングのレーンのように、体育舘のようなある程度広い床面をもつ場所がなければならないため、施設等の特定の場所に限られ、視覚障害者個人が部屋等で一人でも簡単に遊べ、かつ、気軽に楽しめないことは、ストレスの解消にならず、問題である。
【発明の開示】
【発明が解決しようとする課題】
【０００７】
そこで本発明は、視覚障害者や高齢者の手首や全身運動のリハビリを兼ねるとともに、手軽に個人のストレス解消になる視覚障害者用遊戯具を提供することを目的とするものである。
【課題を解決するための手段】
【０００８】
本発明は、上記の課題を解決するために、従来から存在するダーツゲームを行う要領で競技を行い、競技を行う際、視覚障害者用遊戯具の構成をダーツボードと、競技者である視覚障害者が頭に装着するヘッドホン、そして前記ダーツボードにレーザー光線を照射できる照準装置と、視覚障害者がダーツボード投げるダーツとからなることを特徴とする視覚障害者用遊戯具とした。
【発明の効果】
【０００９】
第１に本発明である視覚障害者用遊戯具は、視覚が得られなければなしえなかったダーツボードの位置、特に点数枠の位置を競技者自らが簡単に確認できるため、老若男女、子供から大人まで年齢を問わず、視覚障害者皆で幅広く楽しめる装置である。
【００１０】
第２に本発明である視覚障害者用遊戯具は、また、ゲームを開始するためにボーリングのレーンのように、体育舘のようなある程度広い床面が必要なく、視覚障害者の自宅、部屋など僅かな距離さえあれば手軽にできるため、ストレスの解消になる。
【発明を実施するための最良の形態】
【００１１】
ダーツボードと、競技者である視覚障害者が頭に装着するヘッドホン、そして前記ダーツボードにレーザー光線を照射できる照準装置と、視覚障害者がダーツボード投げるダーツとからなることを特徴とする視覚障害者用遊戯具の構成とした。
【実施例１】
【００１２】
以下に、添付図面に基づき、本発明である視覚障害者用遊戯具１の詳細を説明する。
図１に示したように本発明である視覚障害者用遊戯具１は、照準装置３から照射されたレーザー光線の照射先の点数等を示す位置情報等を無線送信できる送受信機３ａ、前記送受信機３ａで受けた位置情報を音声に変換等を行う制御部を備えたダーツボード２と、 前記ダーツボード２の送受信機２ａから送受信機４ａに位置情報等を送信でき、競技者６が頭に装着するヘッドホン４、そして前記ダーツボード２にレーザー光線を照射できる照準装置３と、競技者がダーツボード２投げ、前記ダーツボード２の表面に刺さるダーツ５とからなることを特徴とする。
【００１３】
本発明である視覚障害者用遊戯具１は、照準装置３からダーツボード２まで照射するレーザー光線の位置を、「位置情報」として、ダーツボード２の制御部２ｂからメモリ２ｄに記憶する。そしてメモリ２ｄには、各点数毎の「位置情報」予め記憶しており、「位置情報」は、音声ガイドとしてヘッドホン４に送信する。すると、競技者は位置情報に基づいてダーツ５を投げることでダーツボード２に刺さる又はダーツボード２から外れ、地面に落下する。ダーツボード２に刺さった場合、位置情報を予め再度よびだし、前記位置情報に基づいた予想点数と、実際のボードに刺さった点数を比較・計算をし、点数情報である第２情報をダーツ５の得点として再度、競技者のヘッドホン４等に送信することで視覚障害者用でも安全かつ簡単に遊ぶことができる。
【００１４】
視覚障害者用遊戯具１の競技方法は、競技者が先ず照準装置３及びヘッドホン４それぞれを腕や頭に装着する。そして、矢であるダーツ５を手に取り、ダーツボード２との距離が２．３７ｍ前後離れた位置から、ダーツボード２の点数枠を狙う仕組みである。
この時に、競技者は腕に装着した照準装置３のレーザー発射部から、ダーツボード２のある正面に向かってレーザー光線を照射する。
【００１５】
すると、ダーツボード２の正面の点数枠に囲まれた部分の狙いを定めることができる。
なお、ダーツボード２の点数枠内に入っているか否かは、ダーツボード２の送信機から
自動的にヘッドホン４の送受信機４ａに対して、「位置情報」として音声ガイド、又は電子音を送る仕組みである。
【００１６】
競技者は、レーザー光線で照射した先の「位置情報」である音声ガイドに従って、ダーツ５をダーツボード２の正面、各点数枠を目がけて投げる。本発明の場合、必ずしも、ダーツボード２から音声等でガイドされた位置に投げられる場合ばかりでないため、実際に投げた時に点数が変動することに面白さや特徴がある。
【００１７】
ダーツ５を投げ終わった後は、各点数枠に刺さった点数が、ダーツボード２から、ヘッドホン４に「点数情報」として送信され、競技者６に点数を知らせる仕組みである。
【００１８】
なお、ダーツ５の投げ方及び競技方法は、公知である一般的なダーツと同様である。
具体的には、肘を折り曲げ、目の高さからダーツボードに向かってダーツが水平になるように投げる。次にダーツボード２、照準装置３、ヘッドホン４の順に詳細を説明する。
【００１９】
前記ダーツボード２は、照準装置３から照射されたレーザー光線の照射先の点数等を示す位置情報等を無線送信できる送受信機２ａ、送受信機２ａで受けた位置情報を音声に変換等を行う制御部２ｂからなり、前記制御部２ｂに連結し、ダーツボード２の正面にある切り替えスイッチで音声の出力のＯＮ、ＯＦＦの切り替えができる音声出力部２ｅと、前記音声出力部２ｅに接続し、競技者以外の人に点数等を知らせる第２スピーカー２ｉを備えている。なお、第２スピーカー２ｉの音声は、再度制御部２ｂに送られ、前記送受信機２ａを通じて、視覚障害者に電送することができる。
【００２０】
また、前記制御部２ｂは、レーザー光線が示した位置情報を送信するために設けたシート状の位置検出部２ｆと、ダーツ５が刺さった時に、ダーツ５の先端の圧力を検知する圧力センサー部２ｇと、前記圧力センサー部２ｇでレーザー光線の位置を検知し記憶すると共に、レーザー光線の照射位置毎の点数等を記憶するメモリ２ｄと、前記メモリ２ｄにあるレーザー光線の位置を検知し、事前に競技者に位置情報を演算して第１情報として伝え、  次に前記第１情報に基づいて、競技者がダーツ５を投げ、前記メモリ２ｄにある第１情報に基づいた予想点数と、実際に圧力センサー部２ｇで察知して記憶した点数とを比較し、点数計算をし第２情報として演算等の処理を行うＣＰＵ２ｃと、前記第２情報をダーツ５の得点として、視覚障害者以外の人にディスプレイ等として逐次表示できる表示部２ｈを備え、前記点数情報である第２情報を送受信機２ａを通し、ヘッドホン４の送受信機４ａ及び照準装置３の送受信機３ａのそれぞれに送信できることを特徴とする。
【００２１】
なお、本発明を構成するダーツボード２の主電源は、ＡＣ１００Ｖアダプタを使用する。よって本発明である視覚障害者用遊戯具１は、家庭内で簡単に起電力を簡単に得ることができる。次に、競技者が手首に装着する照準装置３、頭に装着するヘッドホン４について詳細を説明する。
【００２２】
照準装置３は、腕時計のように外装がハウジング（図示せず）と、ハウジングを固定すると共に、腕に装着できるリストバンド（図示せず）とからなる装置で、前記ダーツボード２から送信された「位置情報」や、「点数情報」等を送受信する送受信機３ａと、点数情報の表示範囲等を制御する制御部３ｂと、前記制御部３ｂに接続するとともにレーザー光線のノイズを補正し、照射するレーザー光線の色むらをなくすドライブ回路部３ｃ、本発明の特徴であるレーザー光線を照射するレーザー光線照射部３ｄを備えたことを特徴とする。
【００２３】
なお、制御部３ｂは、振動センサー３ｅを備え、前記ダーツボード２の点数枠外にレーザー光線を照射した場合、前記振動センサー３ｅによって、振れ幅の小さい振動が起きる。またダーツボード２の点数枠内にレーザー光線を照射すると、前記振動が止む仕組みある。振動センサー３ｅは、競技者の任意により自由に設定を変更することができる。次にヘッドホン４の詳細な説明を行う。
【００２４】
ヘッドホン４は、競技者の頭に付け、両耳を覆い被せることができるスピーカー４ｆと、前記ダーツボード２から送信された「位置情報」である第１情報又は、「点数情報」である第２情報を適宜受信できる送受信機４ａと、位置情報等を音声に変換する制御部４ｂと、制御部４ｂに送られた位置情報等を音声処理する音声出力部４ｄと、前記音声処理スピーカー４ｆからなる。
【００２５】
なお、ヘッドホン４を構成する制御部４ｂは、照射先の位置情報をヘッドホン４の送受信機４ａで送受信したことを簡単にＬＥＤランプで表示する表示部４ｅと、位置情報を音声処理するＣＰＵ４ｃ、前記位置情報又は点数情報を競技者６が適宜確認するために、何度も繰り返して聞けるための音声記憶装置であるメモリ４ｇを前記制御部４ｂにそれぞれ接続し、設けられている。
【００２６】
位置情報は、競技者の位置を音声に変換する前の情報である。また音声に変換した後は「中央からやや上、１２時の方向、２０点の位置です。」のように、前記位置情報から、ダーツボードの中央からの位置と、時計の方向、点数の順に変換され競技者等の音声ガイドとなる。
【００２７】
また本発明であるヘッドホン４に代えて、片耳で照射先の位置情報を検知できるイヤホン等に代えることができる。また、ダーツボード２の点数枠の内部入っているかどうかの情報である位置情報は、前記音声ガイドのみならず、短い波長の電子音で知らせることもできる。
【００２８】
なお、ヘッドホン４は有線、無線を問わない。有線式の場合、ダーツボード２からケーブル等で接続すればよく、一方の無線式の場合、ヘッドホンをワイヤレス送受信できるように、送受信装置（図示せず）をダーツボード２に接続し、前記送受信機（図示せず）から、無線でヘッドホン４又はイヤホンに送信できればよい。
【００２９】
図２本発明である視覚障害者用遊戯具を構成するダーツボードの正面図、図３本発明である視覚障害者用遊戯具を構成するダーツボードのＡ−Ａ縦断面図、図４は本発明である視覚障害者用遊戯具を構成する照準装置の斜視図である。
【００３０】
図２に示したのは、ダーツボード２の正面図で形状は略Ω状である。ダーツボード２の構成は、プラスチック製の外枠２ｊと、その内側に円状に設けた点数区分枠２ｋと点数枠２ｒとからなり、前記点数枠２ｒの表面に、照準装置３からのレーザー光線を照射することで競技者に点数枠２ｒの点数をガイドできる位置検出部２ｆとからなる。なお、ダーツボード２の外観形状は前記Ω状に限定せず、長方形状、円筒形状のように自由にその外観形状を変更することができる。
【００３１】
ダーツボード２の外枠２ｊの下部には、ダーツボード２の外観を構成する各スイッチ等を設けている。右から順に電源のＯＮとＯＦＦを示す電源スイッチ２ｌ、電源スイッチ２ｌの左下に設け、競技等をスタートさせるスタートボタン、ストップボタン等を備えたボタン部２ｍ、前記ボタン部２ｍに隣接し、ダーツボード２の点数枠２ｒにＬＥＤ等の照明装置からなる表示部２ｈ、前記表示部２ｈの左上に設け、表示部２ｈ上に表示した点数の音声ガイドを、切替スイッチ等で切り替え可能なスイッチを備えた第２スピーカー２ｉとからなる。次に図３では図２に示したダーツボード２のＡ−Ａ縦断面図について詳細を説明する。
【００３２】
図３のＡ−Ａ縦断面図に示したように、ダーツボード２は、プラスチック樹脂製の外枠２ｊと、外枠２ｊから垂下して設けた背面支持板２ｑからなり、外枠２ｊの内部には、縦断面形状が略鉛筆状の６角形状で、前記外枠２ｊに固定して設けられている点数区分枠２ｋと、点数区分枠２ｋの枠内部に設けると共に、ダーツ５の先端と直角に交わるように設け表面に複数の小孔２ｏを有し、ダーツ５が刺さると同時に一時的に凹み、元の位置に戻る緩衝材である点数枠２ｒと、前記点数枠２ｒの表面に設け、照準装置３から照射するレーザー光線を検知するシート状の位置検出部２ｆと、前記点数区分枠２ｋ及び点数枠２ｒの底部を構成し、且つ、ダーツボード２の背面支持板２ｑに挟みこむように設け、ダーツ５が点数枠２ｒに刺さった時に圧力を検知する圧力センサー部２ｇと、前記圧力センサー部２ｇの左端に位置し、ダーツ５の先端部５ａが刺さることで前記点数枠２ｒの圧を感知すると共に、圧力センサー部２ｇ破れ等を防ぐためのプラスチック製の緩衝板２ｓと、前記圧力センサー２ｇや、照準装置３から照射するレーザー光線の位置の把握、ＣＰＵ２ｃの演算装置まで全てを制御し、前記緩衝板２ｓの下部に設けた制御部２ｂとからなることを特徴とする。
【００３３】
また図３に示したダーツボート２に刺さるダーツ５は、ダーツボード２の表面の位置検出部２ｆから、点数枠２ｒ、空洞２ｐにかけて貫通するように刺さる先端部５ａと、先端部５ａと一体形成され、ゴム等のグリップを有し、フレームと一体化し、競技者が親指、中指、人差し指で当該部分をつまむ握り部５ｂと、前記先端部５ａの反対方向の端部を形成し、ダーツ５の方向を定める羽根部５ｃとからなる。
【００３４】
ダーツ５の先端部５ａの材料は、安全面を考慮して強化プラスチック、ゴム等を使用することができる。また強化プラスチック、ゴム等の先端部５ａに代えて、面ファスナー等のように、ダーツ５の先端形状を略Ｔ字状とし、ダーツボード２の表面に、前記ダーツ５の先端の面ファスナーと密着するように設けることもできる。次に図４で照準装置３の詳細について詳細を説明する。
【００３５】
図４に示したように、前記ダーツボード２の照準装置３は、略８角形状のハウジング３ｆと、ハウジングの上端部、下端部で接続し、リング状になるリストバンド３ｇとからなり、ハウジング３ｆの表面には、本発明の特徴でダーツボード５のどの方向にもレーザー光線の照射位置を変更できる可動式のレーザー光線照射部３ｄと、点数等を確認のために表示する表示部３ｈと、表示部３ｈの右下に設けたスタート・リセットボタン３ｉとからなることを特徴とする。レーザー光線照射部３ｄの起電力は、起電力の要領は大きくとも、形状が最も小さく、かつ、軽量でなければならないため、コイン型の充電式リチウム電池を使用することが好ましい。
【００３６】
リストバンド３ｇは、ハウジング３ｆの上下方向にネジ等により着脱容易に取り付けることができ、なおかつ、競技者手首等に密着すればよい。そこで本発明を構成するリストバンドの素材には、柔らかい革若しくは、市販されているリストバンドのように、伸縮容易な綿、アクリル、ナイロン混合を使用しする。なお、当該リストバンド３ｇは、前記のみならず、あらゆる素材のリストバンドを使用することができる。なお、図４に示したように照準装置３は、前記ハウジング３ｆとリストバンド３ｇは個々に形成しても、一体化した一体形成型にしてもよい。
【００３７】
図５は、本発明である視覚障害者用遊戯具を実施した第１実施例の斜視図、図６は、本発明である視覚障害者用遊戯具を実施する際の手順を示したフロー図である。
【００３８】
図５に示したように、本発明である視覚障害者用遊戯具１は、実際に競技者６である視覚障害者が実際に照準装置３を腕に装着し、ヘッドホン４を頭に装着し、ダーツボード２の中心付近である各点数枠２ｒに照準を定めることで、前記ヘッドホン４から音声ガイドが流れる仕組みである。なお、競技者６とダーツボード２との距離は、２．３７ｍ、高さは１．７３ｍだが、競技者６とダーツボード２との距離及び高さは、自由に変更することができる。また、必要に応じて第２表示板２ｔを自由に設けることができる。前記必要に応じてとは、視覚障害者以外の人を本装置を利用する場合である。
【００３９】
図６に示したのは、視覚障害者用遊戯具１を実施するためのフロー図である。本発明である視覚障害者用遊戯具で、実際に競技者が複数で競技する場合、先ずダーツを開始Ｓ１するために、ダーツボード２の主電源のスイッチを入れ、競技者の人数を確かめ、競技者の人数等を確かめ、競技者選択工程Ｓ２を終了する。
【００４０】
そして、競技者選択工程Ｓ２が終了した後に、競技者６はヘッドホン４や、照準装置３をそれぞれ装着し、ダーツ投げ工程Ｓ４に入る。ダーツ投げ工程Ｓ４に入る時に、レーザー光線をダーツボード２に照射することで、事前にダーツボード２のどの位置に、自分である競技者が狙いを定めているのかが瞬時に競技者６の頭に装着しているヘッドホンから音声ガイダンスとして流れる仕組みある。
【００４１】
なお、ダーツ投げ工程Ｓ４が終了した後、競技者に点数をガイドする点数ガイド・表示工程Ｓ５のそれぞれの制御基は、ダーツボード２内部の制御部及びメモリ部である。
点数ガイド・表示工程が終了した後は、本発明である視覚障害者用遊戯具１のダーツＳ６の終了となる。次に本発明である視覚障害者用遊戯具１の第２実施例について詳細を説明する。
【００４２】
図７は本発明である視覚障害者用遊戯具の第２実施例の構成図、図８は本発明である視覚障害者用遊戯具の実施した第２実施例の斜視図である。
【００４３】
図７に示したのは、本発明である視覚障害者用遊戯具１の第２実施例である。視覚障害者用遊戯具１ａは、吹き矢ゲーム式になっている。また当該装置の目的は図５に示した手で投げるダーツ５に代えて、より命中精度の高い筒７状の吹き矢７ａを使用することができる。
【００４４】
視覚障害者用遊戯具１ａの構成は、円状の的８と、競技者である視覚障害者が頭に装着するヘッドホン４、前記的８にレーザー光線を照射できる照準装置３と、視覚障害者が的８投げる吹き矢７ａとからなる。なお、前記照準装置３及びヘッドホン４は、図１に示した照準装置３及びヘッドホンの構造と同一のため詳細な説明は省略する。
【００４５】
図７に示したように的８は半径３ｃｍ、６ｃｍ、９ｃｍの比率にしたがった同心円で、照準装置３から照射されたレーザー光線の照射先の点数等を示す位置情報等を無線送信できる送受信機８ａ、送受信機８ａで受けた位置情報を音声に変換等を行う制御部８ｂからなり、前記制御部８ｂに連結し、的８のリング状になった外周枠に設け切り替えスイッチで音声出力のＯＮ、ＯＦＦの切り替えができる音声出力部８ｅと、音声出力部８ｅに接続した第２スピーカー８ｉとを備えている。なお、第２スピーカー８ｉの音声は、再度制御部８ｂに送られ、前記送受信機８ａを通じて、競技者に電送することができる。
【００４６】
また的８の内部構造は、前記制御部８ｂは、レーザー光線が示した位置情報を送信するために設けたシート状の位置検出部８ｆと、矢７ａが刺さった時に、矢７ａの先端の圧力を検知する圧力センサー部８ｇと、前記圧力センサー部８ｇでレーザー光線の位置を検知し記憶すると共に、レーザー光線の照射位置毎の点数等を記憶するメモリ８ｄと、前記メモリ８ｄにあるレーザー光線の位置を検知し、事前に競技者に位置情報を演算して第１情報として伝え、 次に前記第１情報に基づいて競技者が筒７から矢７ａを吹き、前記メモリ８ｄにある第１情報に基づいた予想点数と、実際に圧力センサー部８ｇで察知して記憶した点数とを比較し、点数計算をし第２情報として演算等の処理を行うＣＰＵ８ｃと、前記第２情報を的８当てゲームの得点として、視覚障害者以外の人にディスプレイ等として逐次表示できる表示部８ｈを備えていることを特徴とする。
【００４７】
なお、図７に図示していないが、的８の背面はプラスチックなどの背面支持板８ｊを設け、的８の表面にレーザー光線を感知する前記位置検出部８ｆの下部に点数枠８ｋ（図示せず）を設け、内部に空洞８ｌ及びプラスチック製の緩衝板８ｍを備えたことを特徴とする。
【００４８】
的８の高さは、的８の中心線から地面までの高さが１６０ｃｍの位置に設ける。そして、的８からの距離も１０ｍ距離を置くことが望ましい。しかしながら、車いす等に乗った方も考慮し、的８を設ける高さや競技者からの距離１０ｍと限定するものではない。なお、得点計算は、的８の表面に記載された同心円を点数枠８ｋとし、点数計算を利用し、同心円の中心から７点、５点、３点とする。
【００４９】
本発明で使用する筒７は長さ１２０ｃｍ以下、筒７の内部である内径は１、３ｃｍである。筒７の内部に筒先から充填する矢７ａは、約２１ｃｍの長さの矢を使用する。矢の先端形状は、安全性を考慮し先端部分を丸め、人体や動物に刺さらないようにしなければならない。なお、筒７及び矢７ａの大きさ、長さは限定しない。
【００５０】
図９に示したように、本発明である視覚障害者用遊戯具１ａは、競技者が立ったまま、的８目がけて筒８を吹き、内部に充填された矢７ａを発射することができる。そして図１に示したダーツ５のように片腕のリハビリのみならず、筒７を支えるために両腕の運動になり、なおかつ、筒７に息を大きく吹き込んで矢７aを発射するので、競技者は肺や胸筋、そして矢７ａを吹き出す時に、腹筋を使用するため全身の運動になる。
【図面の簡単な説明】
【００５１】
【図１】本発明である視覚障害者用遊戯具の構成図である。
【図２】本発明である視覚障害者用遊戯具を構成するダーツボードの正面図である。
【図３】本発明である視覚障害者用遊戯具を構成するダーツボードのＡ−Ａ縦断面図である。
【図４】本発明である視覚障害者用遊戯具を構成する照準装置の斜視図である。
【図５】本発明である視覚障害者用遊戯具を実施した第１実施例の斜視図である。
【図６】本発明である視覚障害者用遊戯具を実施する際の手順を示したフロー図である。
【図７】本発明である視覚障害者用遊戯具の第２実施例の構成図である。
【図８】本発明である視覚障害者用遊戯具の実施した第２実施例の斜視図である。
【符号の説明】
【００５２】
１    視覚障害者用遊戯具
１ａ  視覚障害者用遊戯具
２    ダーツボード
２ａ  送受信機
２ｂ  制御部
２ｃ  ＣＰＵ
２ｄ  メモリ
２ｅ  音声出力部
２ｆ  位置検出部
２ｇ  圧力センサー部
２ｈ  表示部
２ｉ  第２スピーカー
２ｊ  外枠
２ｋ  点数区分枠
２ｌ  電源スイッチ
２ｍ  ボタン部
２ｎ  スピーカー
２ｏ  小孔
２ｐ  空洞
２ｑ  背面支持板
２ｒ  点数枠
２ｓ  緩衝板
２ｔ  第２表示板
３    照準装置
３ａ  送受信機
３ｂ  制御部
３ｃ  ドライブ回路部
３ｄ  レーザー光線照射部
３ｅ  振動センサー
３ｆ  ハウジング
３ｇ  リストバンド
３ｈ  表示部
３ｉ  リセットボタン
４    ヘッドホン
４ａ  送受信機
４ｂ  制御部
４ｃ  ＣＰＵ
４ｄ  音声出力部
４ｅ  表示部
４ｆ  スピーカー
４ｇ  メモリ
５    ダーツ
５ａ  先端部
５ｂ  握り部
５ｃ  羽根部
６    競技者
７    筒
７ａ  矢
８    的
８ａ  送受信機
８ｂ  制御部
８ｃ  ＣＰＵ
８ｄ  メモリ
８ｅ  音声出力部
８ｆ  位置検出部
８ｇ  圧力センサー部
８ｈ  表示部
８ｉ  第２スピーカー
８ｊ  背面支持板
８ｋ  点数枠
８ｌ  空洞
８ｍ  緩衝板
Ｓ１  ダーツ開始
Ｓ２  競技者選択工程
Ｓ３  レーザー光線照準工程
Ｓ４  ダーツ投げ工程
Ｓ５  点数ガイド・表示工程
Ｓ６  ダーツ終了
【図１】
2005152424.tif 000003
【図２】
2005152424.tif 000004
【図３】
2005152424.tif 000005
【図４】
2005152424.tif 000006
【図５】
2005152424.tif 000007
【図６】
2005152424.tif 000008
【図７】
2005152424.tif 000009
【図８】
2005152424.tif 000010